(57)【要約】  【課題】先羽根と後羽根を有しており、先羽根は、セット時には露光作動終了位置近傍に留まっていて、カメラのレリーズ後の初期段階には露光作動開始位置へ速やかに作動し好適に静止するデジタルスチルカメラ用フォーカルプレンシャッタを提供すること。  【解決手段】先羽根を連結した先羽根用第１駆動部材１６と先羽根用第２駆動部材１７は同軸上に取り付けられ、先羽根のアーム３６にはセットばね３４が掛けられている。後羽根を連結している後羽根駆動部材１９と上記の駆動部材１７には、駆動ばね２６，２３が掛けられている。セット部材２７は、その突起部２７ｅと係合部２８ｂとの係合によって抑止部材２８を回転させ、セット位置では、抑止部２８ａと被抑止部１６ｂとの接触によって上記の駆動部材１６を露光作動終了位置近傍で抑止し、初期位置へ復帰するときには、復帰直前まで上記の駆動部材１６を追従させるようになっている。【選択図】  図４
2007298544.tif 000002
【特許請求の範囲】
【請求項１】
露光用開口部を有していて第１軸，第２軸，第３軸，第４軸を立設しているシャッタ地板と、被抑止部を有していると共に先羽根と連結していて前記第１軸に回転可能に取り付けられている先羽根用第１駆動部材と、前記第１軸に回転可能に取り付けられていて露光作動時には先羽根用駆動ばねの付勢力によって先羽根用第１駆動部材を伴って作動し先羽根に露光作動を行わせる先羽根用第２駆動部材と、少なくとも先羽根用第２駆動部材がセット位置にあるときには先羽根用第１駆動部材と先羽根とを露光作動開始位置へ作動させるための付勢力が与えられているセットばねと、後羽根と連結していて前記第２軸に回転可能に取り付けられており露光作動時には後羽根用駆動ばねの付勢力によって作動し後羽根に露光作動を行わせる後羽根用駆動部材と、突起部を有していて前記第３軸に回転可能に取り付けられておりセット作動時には初期位置からセット位置まで作動して先羽根用第２駆動部材と後羽根用駆動部材とを前記各駆動ばねの付勢力に抗して夫々のセット位置まで作動させカメラのレリーズ時には先羽根の露光作動に先立って初期位置へ復帰作動するセット部材と、抑止部と係合部とを有していて前記第４軸に回転可能に取り付けられていており該係合部が前記突起部に係合していることによって前記セット部材に連動して往復回転させられ前記セット部材がセット位置にあるときには前記露光用開口部を全開状態にしておくために前記被抑止部に該抑止部が接触して前記セットばねの付勢力による前記先羽根用第１駆動部材の回転を抑止し前記セット部材の初期位置への復帰作動に伴ってその抑止を解く抑止部材と、を備えていることを特徴とするデジタルカメラ用フォーカルプレンシャッタ。
【請求項２】
前記抑止部材は、前記係合部が二股状をしていて前記突起部を挟持していることを特徴とする請求項１に記載のデジタルカメラ用フォーカルプレンシャッタ。
【請求項３】
前記抑止部材は、ばねによって一方方向へ回転するように付勢されており、前記セット部材のセット作動時には前記係合部を前記突起部に押されて該ばねの付勢力に抗して回転させられ、前記セット部材の復帰作動時には該ばねの付勢力によって前記係合部が前記突起部に追従して回転するようにしたことを特徴とする請求項１に記載のデジタルカメラ用フォーカルプレンシャッタ。
【請求項４】
前記先羽根は、各々の一端を前記地板に対して回転可能に取り付けた複数のアームと、該複数のアームに枢支された少なくとも１枚の羽根とで構成されており、また、前記セットばねは、前記先羽根用駆動ばねよりも弱い付勢力を有していて、その一端を該複数のアームの一つに掛け、他端を前記地板に掛けていて、先羽根用第１駆動部材と先羽根とを露光作動開始位置へ作動させるように付勢していることを特徴とする請求項１乃至３のいずれかに記載のデジタルカメラ用フォーカルプレンシャッタ。
【請求項５】
前記セットばねは、一端を先羽根用第１駆動部材に掛け、他端を先羽根用第２駆動部材に掛けていて、前記被抑止部が前記抑止部に抑止されているときだけ、先羽根用第１駆動部材と先羽根とを露光作動開始位置へ作動させる方向への付勢力が付与されるようにしたことを特徴とする請求項１乃至３のいずれかに記載のデジタルカメラ用フォーカルプレンシャッタ。
【発明の詳細な説明】
【技術分野】
【０００１】
本発明は、デジタルカメラ用のフォーカルプレンシャッタに関する。
【背景技術】
【０００２】
デジタルカメラ用のフォーカルプレンシャッタの中には、銀塩フィルムカメラ用のフォーカルプレンシャッタと同様に、先羽根と後羽根という二つのシャッタ羽根を備えていて、撮影に際しては、先羽根と後羽根とを同一方向へ順に作動させ、その両者間に形成したスリットにより、ＣＣＤなどの撮像素子の撮像面を一方から他方へ連続的に露光していくようにしたものがある。また、それらの先羽根と後羽根は、先羽根用駆動部材と後羽根用駆動部材に連結されており、カメラのレリーズ後に、先羽根用電磁石と後羽根用電磁石に対する通電が順に断たれ、それらの駆動部材が各々の駆動ばねの付勢力によって順に回転することによって、露光作動を行わされるようになっている。
【０００３】
また、それらの先羽根と後羽根は、露光作動終了後に、セット部材が初期位置から作動して、上記の各駆動部材を各駆動ばねの付勢力に抗して回転させるのに伴い、セット位置へ作動させられるようになっている。そして、そのセット部材は、次の撮影時にカメラのレリーズボタンが押されるまで、初期位置へは復帰せずセット位置に留まっており、次の撮影時にカメラのレリーズボタンが押されて、各駆動部材が上記の各電磁石の吸引力によって確実に保持された後、初期位置へ復帰させられるようになっている。従って、この種のフォーカルプレンシャッタを備えたデジタルカメラは、セット状態においては、撮像素子の撮像面が先羽根によって覆われているため、被写体像を観察するファインダとしては、銀塩フィルムカメラの場合と同様に、光学式のファインダが必要になる。
【０００４】
ところが、上記のようなセット部材によるセット作動時において、後羽根はセット位置へ作動させるが、先羽根は露光作動の終了位置で抑止されているように構成すれば、セット状態において、被写体光を撮像素子の撮像面に当てることが可能になるため、撮像面に結像した被写体像を、液晶表示装置などのモニターに表示し、観察することが可能になる。しかしながら、そのように構成した場合には、撮影時にレリーズボタンが押されたとき、先ず、先羽根の抑止を解いて露光作動開始位置へ作動させ、撮像素子の撮像面を一旦覆った状態にしておいてから、上記のようにして、先羽根と後羽根が順に露光作動を開始するように構成する必要がある。
【０００５】
そこで、そのような構成にしたデジタルカメラ用フォーカルプレンシャッタの一例が、下記の特許文献１に記載されている。その構成によれば、従来の先羽根用駆動部材を、先羽根を連結している先羽根用第１駆動部材と、露光作動時に駆動ばねによって回転させられる先羽根用第２駆動部材とで構成するようにし、セット作動時には、セット部材が先羽根用第１駆動部材を露光作動の終了位置近傍で抑止しておき、先羽根用第２駆動部材だけをセット位置へ作動させ、その後、レリーズボタンが押されてセット部材が初期位置へ復帰するとき、セット部材がその抑止を解き、先羽根用第１駆動部材と先羽根を、セットばねの付勢力によって露光作動開始位置へ作動し得るようにしている。
【０００６】
ところが、特許文献１に記載のフォーカルプレンシャッタは、カメラのレリーズボタンが押された後、セット部材が初期位置へ復帰するとき、その初期位置に達する直前になってから先羽根用第１駆動部材の抑止を解除し、先羽根を露光作動終了位置近傍から露光作動開始位置へ作動させるように構成しているため、先羽根用第１駆動部材と先羽根が露光作動開始位置でバウンドしてから静止状態になるのが、セット部材が初期位置へ復帰するよりもかなり後になってしまう。そのため、セット部材が初期位置へ復帰した後、直ちに先羽根の露光作動を開始させることができず、レリーズボタンを押してから先羽根が露光作動を開始するまでの時間が長くなってしまい、被写体が動いている場合などにはシャッタチャンスを逸してしまう可能性が大きくなるという問題点がある。
【０００７】
そこで、セット部材と同軸上に、特別な抑止部材を回転可能に取り付けておき、セット作動時には、その抑止部材が、セット部材に代わって先羽根用第１駆動部材を露光作動終了位置近傍で直ちに抑止するようにしておき、レリーズボタンが押されて、セット部材が初期位置へ復帰するときには、その復帰作動の初期段階で抑止を解き、セット部材が初期位置へ復帰したときには、先羽根用第１駆動部材と先羽根が、露光作動開始位置でバウンドした後、静止状態になっているようにしたデジタルカメラ用フォーカルプレンシャッタが、下記の特許文献２に記載されている。
【０００８】
そして、その特許文献２に記載されたフォーカルプレンシャッタの構成は、上記のように、セット部材と抑止部材とが同じ軸に回転可能に取り付けられているほか、セット部材には、可撓性を有していて先端に係合部を形成したフック部が設けられており、抑止部材には、周面に二つの被係合部が形成されているようにしている。そして、セット部材がセット作動を行うときには、そのフック部の係合部が抑止部材の一方の被係合部に係合し抑止部材を引っ張るようにして回転させ、抑止部材が先羽根用第１駆動部材の回転を抑止し得る位置でストッパに当接してからは、フック部が撓むことによってその係合がはずれてセット部材だけが回転を続け、セット位置では、その直前に、フック部が自己の弾性で原形に復帰してから停止するようになっている。また、セット部材が初期位置へ復帰作動を行うときには、フック部の係合部が抑止部材の他方の被係合部に係合し抑止部材を押すようにして回転させることにより、先羽根用第１駆動部材の抑止を解除させ、その後、抑止部材がストッパに当接すると、フック部が撓むことによってその係合がはずれ、セット位置に達する直前では、フック部が自己の弾性で原形に復帰してから停止するようになっている。
【０００９】
【特許文献１】特開２００１−２２２０５９号公報
【特許文献２】特開２００３−２２２９２８号公報
【発明の開示】
【発明が解決しようとする課題】
【００１０】
ところで、特許文献２に記載されいるフォーカルプレンシャッタは、セット部材が、フック部の係合部と抑止部の二つの係合部との係合によって抑止部材を往復回転させ、その係合は、フック部を撓ませることによって解かれるように構成されている。しかしながら、そのような構成のフォーカルプレンシャッタを実際に量産するのは非常に難しい。それは、例えば、フック部の弾性が均一に得られるように製作したり、係合部の摩擦面と二つの被係合部の摩擦面とが所定の配置関係になるように製作するのが非常に難しいからである。
【００１１】
そのため、このようなフォーカルプレンシャッタを量産した場合には、上記の係合部と被係合部との係合によって抑止部材を回転させることができたとしても、抑止部材の回転が停止したときには、フック部が好適に撓まず係合部と被係合部との係合がスムーズに解かれないことがある。また、抑止部材の回転が停止したときに、係合部と被係合部との係合がスムーズに解かれるようにできたとしても、抑止部材を回転させるときに、抑止部材が所定の回転位置でストッパに当接する前に、係合部と被係合部との係合が解かれてしまうことがある。特に、セット部材が初期位置へ復帰するときには、セットばねの付勢力によって、先羽根用第１駆動部材の被抑止部が抑止部材の抑止部に圧接しているため、先羽根用第１駆動部材の抑止が解かれる前にフック部が撓まされ、係合部と被係合部との係合が解かれてしまうことがある。更に、セット部材が回転を繰り返すうちに、フック部が撓まされた後、所定の原形に復帰しなくなってきて、係合部と被係合部との係合が好適に行えなくなり、セット部材が抑止部材を確実に回転させることができなくなってしまうこともある。
【００１２】
本発明は、このような問題点を解決するためになされたものであり、その目的とするところは、先羽根と後羽根とを備えており、先羽根の駆動機構が、先羽根に連結されていてセットばねの付勢力によって先羽根を露光作動開始位置へ作動させる先羽根用第１駆動部材と、露光作動時には先羽根用駆動ばねの付勢力によって先羽根用第１駆動部材を介して先羽根を作動させる先羽根用第２駆動部材との二つで構成されていて、セット部材が初期位置からセット作動するときには、先羽根用第２駆動部材のみが先羽根用駆動ばねの付勢力に抗してセット位置へ作動させられるが、先羽根用第１駆動部材は、レリーズボタンが押されてセット部材が初期位置へ復帰する作動の初期段階まで、抑止部材によって露光作動開始位置への作動を抑止されているようにしたフォーカルプレンシャッタにおいて、抑止部材が、常にセット部材の回転に連動してセット部材とは異なる角度の回転をさせられるようにすることによって、セット状態における先羽根用第１駆動部材の抑止を確実に行えると共に、その抑止を解かれて先羽根用第１駆動部材が露光作動開始位置で先羽根用第２駆動部材に当接したときの衝撃が抑制され、露光作動が速やかに開始できるようにしたデジタルカメラ用のフォーカルプレンシャッタを提供することである。
【課題を解決するための手段】
【００１３】
上記の目的を達成するために、本発明のデジタルカメラ用フォーカルプレンシャッタは、露光用開口部を有していて第１軸，第２軸，第３軸，第４軸を立設しているシャッタ地板と、被抑止部を有していると共に先羽根と連結していて前記第１軸に回転可能に取り付けられている先羽根用第１駆動部材と、前記第１軸に回転可能に取り付けられていて露光作動時には先羽根用駆動ばねの付勢力によって先羽根用第１駆動部材を伴って作動し先羽根に露光作動を行わせる先羽根用第２駆動部材と、少なくとも先羽根用第２駆動部材がセット位置にあるときには先羽根用第１駆動部材と先羽根とを露光作動開始位置へ作動させるための付勢力が与えられているセットばねと、後羽根と連結していて前記第２軸に回転可能に取り付けられており露光作動時には後羽根用駆動ばねの付勢力によって作動し後羽根に露光作動を行わせる後羽根用駆動部材と、突起部を有していて前記第３軸に回転可能に取り付けられておりセット作動時には初期位置からセット位置まで作動して先羽根用第２駆動部材と後羽根用駆動部材とを前記各駆動ばねの付勢力に抗して夫々のセット位置まで作動させカメラのレリーズ時には先羽根の露光作動に先立って初期位置へ復帰作動するセット部材と、抑止部と係合部とを有していて前記第４軸に回転可能に取り付けられていており該係合部が前記突起部に係合していることによって前記セット部材に連動して往復回転させられ前記セット部材がセット位置にあるときには前記露光用開口部を全開状態にしておくために前記被抑止部に該抑止部が接触して前記セットばねの付勢力による前記先羽根用第１駆動部材の回転を抑止し前記セット部材の初期位置への復帰作動に伴ってその抑止を解く抑止部材と、を備えている。
【００１４】
その場合、前記抑止部材は、前記係合部が二股状をしていて前記突起部を挟持しているように構成するとよい。また、前記抑止部材は、ばねによって一方方向へ回転するように付勢されており、前記セット部材のセット作動時には前記係合部を前記突起部に押されて該ばねの付勢力に抗して回転させられ、前記セット部材の復帰作動時には該ばねの付勢力によって前記係合部が前記突起部に追従して回転するように構成してもよい。
【００１５】
更に、前記先羽根は、各々の一端を前記地板に対して回転可能に取り付けた複数のアームと、該複数のアームに枢支された少なくとも１枚の羽根とで構成されており、また、前記セットばねは、前記先羽根用駆動ばねよりも弱い付勢力を有していて、その一端を該複数のアームの一つに掛け、他端を前記地板に掛けていて、常に先羽根用第１駆動部材と先羽根とを露光作動開始位置へ作動させるように付勢しているように構成するとよい。また、前記セットばねは、一端を先羽根用第１駆動部材に掛け、他端を先羽根用第２駆動部材に掛けていて、前記被抑止部が前記抑止部に抑止されているときだけ、先羽根用第１駆動部材と先羽根とを露光作動開始位置へ作動させる方向への付勢力が付与されるように構成してもよい。
【発明の効果】
【００１６】
本発明は、先羽根と後羽根とを備えていて、先羽根の駆動機構が、先羽根に連結されている先羽根用第１駆動部材と、露光作動時には先羽根用駆動ばねの付勢力によって先羽根用第１駆動部材を介して先羽根を作動させる先羽根用第２駆動部材とで構成されており、セット部材のセット作動の初期段階において、先羽根用第１駆動部材が、先羽根用第２駆動部材に追従して作動するのを抑止部材によって抑止され、セット状態において撮像素子の前面を開放し、液晶表示装置などによって被写体像を観察することを可能にしたデジタルカメラ用のフォーカルプレンシャッタにおいて、抑止部材とセット部材とを異軸上に取り付けておき、抑止部材が常にセット部材の回転に連動して回転するが、回転角度が異なるように構成したから、セット部材のセット状態では、セットばねによる先羽根用第１駆動部材の作動を露光作動終了位置の近傍で確実に抑止することができると共に、カメラのレリーズ後にセット部材が初期位置へ復帰するときには、先羽根用第１駆動部材が抑止部材に追従して作動し、セット部材が初期位置に達する直前になってその抑止が解除されるので、露光作動終了位置の近傍で抑止を解除される従来の構成のように、解除時機の安定化を図る必要がなく、且つ抑止を解除された後、露光作動開始位置で先羽根用第２駆動部材に当接したときの衝撃が小さく、露光作動を速やかに開始することができるという特徴を有している。
【発明を実施するための最良の形態】
【００１７】
本発明の実施の形態を、図示した二つの実施例によって説明する。尚、図１〜図１０は実施例１を説明するためのものであり、図１１及び図１２は実施例２を説明するためのものである。
【実施例１】
【００１８】
図１〜図１０を用いて実施例１を説明する。尚、図１は、カメラに組み込んだ状態において、被写体側から見た平面図であって、露光作動終了直後の状態を示したものであり、図２は、図１の一部を拡大して示した平面図であり、図３は、図２の右側から見て構成部材を分かり易く示した断面図である。図４〜図１０は、図２に示されている構成部材のうち作動説明に必要な主な構成部材だけを示した平面図である。そして、図４は、図２と同様に、露光作動終了直後の状態を示したものであり、図５は、セット作動の初期段階の状態を示したものであり、図６は、図５の状態より更にセット作動の進んだ状態を示したものであり、図７は、セット作動の完了状態を示したものである。また、図８は、カメラのレリーズボタンが押されたとき、露光作動に先立ってセット部材がセット位置から初期位置へ復帰する初期段階の状態を示したものであり、図９は、セット部材の初期位置への復帰作動が図８の状態よりも進んだ状態を示したものであり、図１０は、セット部材が初期位置で停止した露光作動開始直前の状態を示したものである。
【００１９】
先ず、主に図１〜図３を用いて本実施例の構成を説明するが、図３は、あくまでも図１及び図２に示されている構成部材の重なり関係を理解し易くするために、便宜的に示したものである。図１において、シャッタ地板１の略中央部には、長方形を横長にした露光用の開口部１ａが形成されている。また、周知のように、シャッタ地板１の背面側には、所定の間隔を空けて、中間板２と補助地板３が順に取り付けられており、シャッタ地板１と中間板２との間に後羽根の羽根室を構成し、中間板２と補助地板３との間に先羽根の羽根室を構成している。そして、中間板２と補助地板３にも、開口部１ａと類似の形状をした開口部２ａ，３ａが形成されているが、本実施例においては、開口部１ａの形状が露光開口を規制している。尚、中間板２は、図２及び図３に示されていないし、カバー板３は、図２に示されていない。
【００２０】
図１及び図２において、開口部１ａの左側の領域には、円弧状の二つの長孔１ｂ，１ｃが形成されており、それらの下方端部には、平面形状が略Ｃ字状をした周知のゴム製の緩衝部材４，５が取り付けられている。また、カバー板３にも、長孔１ｂ，１ｃと重なる領域に、略同じ形状の長孔３ｂ，３ｃ（図３参照）が形成されている。シャッタ地板１には、軸１ｄ，１ｅ，１ｆ，１ｇ，１ｈ，１ｉ，１ｊ，１ｋが立設されている。それらのうち、軸１ｄ，１ｅ，１ｈ，１ｉは、シャッタ地板１の表面側に立設され、軸１ｊ，１ｋは、図３及び図７から分かるようにシャッタ地板１の背面側に立設されていて、その先端をカバー板３に形成された孔に挿入している。また、軸１ｆ，１ｇは、図３から分かるようにシャッタ地板１を貫通していて、シャッタ地板１の表面側と背面側の両方に軸部が設けられており、背面側の軸部の先端をカバー板３に形成された孔に挿入している。更に、軸１ｉは、図３から分かるように、円盤状の頭部を有する軸部材であり、その先端をシャッタ地板に形成された孔に圧入している。
【００２１】
上記の軸１ｄ，１ｅの先端には、薄い金属製の支持板６とプリント配線板７とが、支持板６をシャッタ地板１側にして、ねじ８，９によって取り付けられている。しかし、プリント配線板７は、図１及び図２において、その外形だけを二点鎖線で示してある。支持板６は、特開平９−１３３９４４号公報に記載されている「取付基板」と類似の形状をしており、各々折曲部として形成されている二つのラチェット爪６ａ，６ｂと、ばね掛け部６ｃを有しているほか、複数の折曲部によって先羽根用電磁石と後羽根用電磁石を取り付けている。そして、それらの折曲部のうち、二つのラチェット爪６ａ，６ｂは、図３にその一部だけが示されているように、先端に二つずつ爪部６ａ−１，６ａ−２，６ｂ−１，６ｂ−２を形成している。また、先羽根用電磁石と後羽根用電磁石は同じ構成をしており、二つの脚部を有するＵ字形の鉄芯部材１０，１１と、コイル１２，１３を巻回したボビン１４，１５とからなっている。そして、鉄芯部材１０，１１は、一方の脚部にボビン１４，１５を嵌装させており、各々の両方の脚部の先端を磁極部としている。
【００２２】
上記の軸１ｆ，１ｇは、図３から分かるように、各々、シャッタ地板１の表面側の軸部に、直径の大きい部位と直径の小さな部位を有しており、先端を、支持板６とプリント配線板７に設けた孔に挿入している。そして、軸１ｆは、シャッタ地板１側に形成した直径の大きな部位に、先羽根用第１駆動部材１６と先羽根用第２駆動部材１７を回転可能に取り付けており、支持板６側に形成した直径の小さな部位に、ラチェット部材１８を回転可能に取り付けている。他方、軸１ｇは、シャッタ地板１側に形成した直径の大きな部位に、後羽根用駆動部材１９を回転可能に取り付けていて、支持板６側に形成した直径の小さな部位に、ラチェット部材２０を回転可能に取り付けている。
【００２３】
そして、上記の先羽根用第２駆動部材１７は、筒部１７ａと、被押動部１７ｂと、取付部１７ｃと、押動部１７ｄとを有しており、その筒部１７ａを、軸１ｆに形成された上記の直径の大きい部位に回転可能に嵌合させている。また、図２においてはその一部を切断して示しているように、取付部１７ｃの内部には、鉄片部材２１と圧縮ばね２２とが収容されている。そして、鉄片部材２１は、軸部２１ａの一端に円盤状をした頭部２１ｂを有し、軸部２１ａの他端には鉄片部２１ｃを取り付けており、軸部２１ａに嵌装した圧縮ばね２２によって、鉄片部２１ｃを取付部１７ｃ内から突き出すように付勢されている。
【００２４】
また、上記の先羽根用第１駆動部材１６は、筒部１６ａと、被抑止部１６ｂと、被押動ピン１６ｃと、駆動ピン１６ｄとを有していて、図３から分かるように、その筒部１６ａを、先羽根用第２駆動部材１７の筒部１７ａの外周に回転可能に嵌合させている。そして、被押動ピン１６ｃは、支持板６側に設けられており、先羽根用第２駆動部材１７の押動部１７ｄによって押され得るようになっている。また、駆動ピン１６ｄは、シャッタ地板１側に設けられていて、シャッタ地板１の長孔１ｂに挿入されている。この駆動ピン１６ｄは、図３に示されているように、根元側の方の直径が先端側より若干大きく形成されていて、上記の緩衝部材４に当接し得るようになっている。また、直径の小さい先端側の部位は、後述のように羽根室内で先羽根に連結されており、その先端をカバー板３の長孔３ｂに挿入している。
【００２５】
上記のラチェット部材１８は、図３から分かるように、その外周に二つのラチェット歯１８ａ，１８ｂを形成している。そして、それらのラチェット歯１８ａ，１８ｂの歯は、両方とも同じピッチで形成されているが、位相は半ピッチだけずれていて、ラチェット歯１８ａは、上記のラチェット爪６ａの爪部６ａ−１と係脱し得るようになっており、ラチェット歯１８ｂは、上記のラチェット爪６ａの爪部６ａ−２と係脱し得るようになっている。また、上記の先羽根用第２駆動部材１７の筒部１７ａには、図３に示されているように、先羽根用駆動ばね２３が緩く嵌装されていて、一端を先羽根用第２駆動部材１７の図示していないばね掛け部に掛け、他端をラチェット車１８の図示していないばね掛け部に掛けて、図１及び図２において、先羽根用第２駆動部材１７を時計方向へ回転させるように付勢している。そして、周知のように、この先羽根用駆動ばね２３の付勢力は、ラチェット車１８の回転位置を変えることによって調整できるようになっている。
【００２６】
他方、軸１ｇに回転可能に取り付けられている上記の後羽根用駆動部材１９は、筒部１９ａと、取付部１９ｂと、駆動ピン１９ｃと、を有しているほか、ローラー１９ｄを回転可能に取り付けていて、筒部１９ａを軸１ｇに形成された上記の直径の大きい部位に回転可能に嵌合させている。また、図１において一部を切断して示してあるように、取付部１９ｂの内部には、鉄片部材２４と圧縮ばね２５が収容されている。そして、その鉄片部材２４は、上記の鉄片部材２１と同様に、軸部２４ａの一端に円盤状をした頭部２４ｂを有し、軸部２４ａの他端には鉄片部２４ｃを取り付けており、軸部２４ａに嵌装した圧縮ばね２５によって、鉄片部２４ｃを取付部１９ｂの内部から突き出すように付勢されている。また、駆動ピン１９ｃは、シャッタ地板１側に設けられていて、シャッタ地板１の長孔１ｃに挿入されている。そして、図３に示されているように、この駆動ピン１９ｃも、上記の駆動ピン１６ｄと同様に、根元側の方の直径が先端側よりも若干大きく形成されていて、上記の緩衝部材５に当接し得るようになっている。また、直径の小さい先端側の部位は、後述のように羽根室内で後羽根に連結されており、その先端をカバー板３の長孔３ｃに挿入している。
【００２７】
また、上記のラチェット部材２０は、図３から分かるように、ラチェット部材１８と同じ形状をしており、その外周に二つのラチェット歯２０ａ，２０ｂを形成している。そして、それらのラチェット歯２０ａ，２０ｂの歯は、両方とも同じピッチで形成されているが、位相は半ピッチだけずれていて、ラチェット歯２０ａは、上記のラチェット爪６ｂの爪部６ｂ−１と係脱し得るようになっており、ラチェット歯２０ｂは、上記のラチェット爪６ｂの爪部６ｂ−２と係脱し得るようになっている。また、上記の後羽根用駆動部材１９の筒部１９ａには、図３に示されているように、後羽根用駆動ばね２６が緩く嵌装されていて、一端を後羽根用駆動部材１９の図示していないばね掛け部に掛け、他端をラチェット車２０の図示していないばね掛け部にかけて、図１及び図２において、後羽根用駆動部材１９を時計方向へ回転させるように付勢している。そして、周知のように、この後羽根用駆動ばね２６の付勢力は、ラチェット車２０の回転位置を変えることによって調整できるようになっている。
【００２８】
シャッタ地板１に立設されている上記の軸１ｈには、セット部材２７が回転可能に取り付けられている。このセット部材２７は、筒部２７ａと、押動部２７ｂ，２７ｃと、被押動部２７ｄと、突起部２７ｅとを有していて、筒部２７ａを軸１ｈに回転可能に嵌合させている。押動部２７ｂは、先羽根用第２駆動部材１７の被押動部１７ｂを押す部位であり、押動部２７ｃは、後羽根用駆動部材１９のローラー１９ｄを押す部位であって、被押動部２７ｄは、図示していないカメラ本体側の部材のよって押される部位である。また、突起部２７ｅは、シャッタ地板１側の面に設けられていて、本実施例の場合には、円柱形に形成されている。更に、筒部２７ａには、図示していない復帰ばねが、緩く嵌装されていて、その一端をセット部材２７の図示していないばね掛け部に掛け、他端を上記した支持板６のばね掛け部６ｃに掛けて、図１及び図２においてセット部材２７を反時計方向へ回転させるように付勢している。図１及び図２は、セット部材２７が、そのような復帰ばねの付勢力によって反時計方向へ回転するのを、シャッタ地板１側の面に設けられた図示していないピンが、シャッタ地板１に設けられた図示していないストッパ部に当接して、停止させられている状態を示したものである。以下、セット部材２７については、この位置を初期位置ということにする。
【００２９】
シャッタ地板１に立設されている上記の軸１ｉには、抑止部材２８が回転可能に取り付けられている。この抑止部材２８は、抑止部２８ａと、係合部２８ｂとを有している。そして、その抑止部２８ａは、セット部材２７が初期位置にあるときと、初期位置の近傍位置にあるとき以外は、先羽根用第１駆動部材１６の被抑止部１６ｂの作動軌跡内に臨まされいる。また、係合部２８ｂは二股状をしていて、セット部材２７に設けられている上記の突起部２７ｅを挟持している。そのため、この抑止部材２８は、図１及び図２において、セット部材２７が時計方向へ回転すると、係合部２８ｂが突起部２７ｅに押されて反時計方向へ回転させられ、その後、セット部材２７が反時計方向へ回転すると、やはり係合部２８ｂが突起部２７ｅに押されて時計方向へ回転させられるようになっている。
【００３０】
次に、シャッタ地板１の背面側に配置されている先羽根と後羽根の構成を、主に図４を用いて説明する。尚、この図４のほか図５〜図１０においては、図１及び図２に示されている支持板６と、プリント配線板７と、二つの電磁石と、二つのラチェット部材１８，２０と、二つの鉄片部材２１，２４と、二つの圧縮ばね２２，２５の図示を省略してある。そこで先ず、先羽根は、シャッタ地板１の背面側において、軸１ｆに対して回転可能に取り付けられているアーム２９と、軸１ｊに対して回転可能に取り付けられているアーム３０と、それらの先端部に向けて順に枢支された３枚の羽根３１，３２，３３とで構成されており、羽根３３が先羽根のスリット形成羽根となっている。そして、周知のように、先羽根用第１駆動部材１６の駆動ピン１６ｄの先端部が、アーム２９に形成された孔に嵌合している。更に、シャッタ地板１の軸１ｊには、セットばね３４が嵌装されていて、その一端をシャッタ地板１に設けられた図示していないばね掛け部に掛け、他端をアーム３０に掛けて、アーム３０を反時計方向へ回転させるように付勢している。
【００３１】
他方、後羽根は、シャッタ地板１の背面側において、軸１ｇに対して回転可能に取り付けられているアーム３５と、軸１ｋに対して回転可能に取り付けられているアーム３６と、それらの先端部に向けて順に枢支された３枚の羽根３７，３８，３９とで構成されており、羽根３９が後羽根のスリット形成羽根となっている。そして、後羽根用駆動部材１９の駆動ピン１９ｃの先端部が、周知のように、アーム３５に形成された孔に嵌合している。更に、シャッタ地板１の軸１ｋには、ばね４０が嵌装されていて、その一端をシャッタ地板１に設けられた図示していないばね掛け部に掛け、他端をアーム３６に掛けて、アーム３６を反時計方向へ回転させるように付勢している。尚、図３においては、先羽根の３枚の羽根３１〜３３と、後羽根の３枚の羽根３７〜３９の図示が省略されている。
【００３２】
次に、主に、図４〜図１０を用いて本実施例の作動を説明するが、これらの図面は、上記したように、主に図１〜図３を用いて説明した本実施例の構成部材の一部を省略して示したものである。そして、図４は、図１及び図２に示した露光作動終了直後の停止状態を示している。このとき、先羽根用第２駆動部材１７は、先羽根用駆動ばね２３の付勢力によって、先羽根用第１駆動部材１６を伴って時計方向へ回転し、先羽根用第１駆動部材１６の駆動ピン１６ｄが緩衝部材４に当接したことによって、この停止状態が維持されている。そして、先羽根の３枚の羽根３１〜３３は、重畳されて開口部１ａの下方位置に格納されている。
【００３３】
他方、後羽根用駆動部材１９は、後羽根用駆動ばね２６の付勢力によって時計方向へ回転し、駆動ピン１９ｃが緩衝部材５に当接したことによって、この停止状態が維持されている。そのため、後羽根の３枚の羽根３７〜３９は、展開されて開口部１ａを覆っている。また、このとき、セット部材２７は初期位置にあって、その突起部２７ｅによって抑止部材２８を時計方向へ回転させ、抑止部材２８の抑止部２８ａを、先羽根用第１駆動部材１６の被抑止部１６ｂの作動軌跡外にもたらしている。そして、セット部材２７の押動部２７ｂは、先羽根用第２駆動部材１７の被押動部１７ｂから離れており、押動部２７ｃは、後羽根用駆動部材１９のローラー１９ｄから離れている。
【００３４】
このような露光作動終了状態において、撮像情報が図示していない記憶装置に転送されると、直ちにセット作動が行われるが、本実施例のセット作動は、図示していないカメラ本体側の部材がセット部材２７の被押動部２７ｄを押し、図示していない復帰ばねの付勢力に抗してセット部材２７を時計方向へ回転させることによって行なわれる。セット部材２７が回転を開始すると、抑止部材２８も、その係合部２８ｂがセット部材２７の突起部２７ｅに押されて反時計方向へ回転し、その抑止部２８ａを、先羽根用第１駆動部材１６の被抑止部１６ｂの作動軌跡内へ臨ませてゆく。
【００３５】
このようにして、セット部材２７と抑止部材２８が回転を開始すると、先ず、セット部材２７の押動部２７ｂが先羽根用第２駆動部材１７の被押動部１７ｂを押し、先羽根用第２駆動部材１７を先羽根用駆動ばね２３の付勢力に抗して反時計方向へ回転させ始める。このとき、先羽根用第１駆動部材１６には、セットばね３４により、先羽根を介して反時計方向へ回転する力が与えられているため、先羽根用第１駆動部材１６も、その被押動ピン１６ｃが先羽根用第２駆動部材１７の押動部１７ｄに追従して、反時計方向へ回転を開始する。そして、その後、先羽根のスリット形成羽根３３が開口部１ａを覆い始めると、セット部材２７の押動部２７ｃが後羽根用駆動部材１９のローラー１９ｄを押し始める。図５は、そのときの状態を示したものである。
【００３６】
セット部材２７が、図５の状態からなおも時計方向へ回転すると、後羽根用駆動部材１９も、後羽根用駆動ばね２６の付勢力に抗して、反時計方向へ回転されていく。それによって、後羽根用駆動部材１９の駆動ピン１９ｃが後羽根のアーム３５を反時計方向へ回転させるので、後羽根の３枚の羽根３７〜３９は上方へ移動されていくことになる。このようにして、先羽根の３枚の羽根３１〜３３は隣接する羽根同士の重なりを小さくしながら、また後羽根の３枚の羽根３７〜３９は隣接する羽根同士の重なりを大きくしながら、共に上方へ移動していく途中の状態が、図６に示されている。
【００３７】
この図６の状態を図５の状態と比較してみれば分かるように、図６の状態では、抑止部材２８の抑止部２８ａと先羽根用第１駆動部材１６の被抑止部１６ｂとの距離が短くなってきている。そのため、抑止部材２８と先羽根用第１駆動部材１６が図６の状態よりもさらに反時計方向へ回転させられると、それらの抑止部２８ａと被抑止部１６ｂが接触するようになる。このとき、セット部材を回転させる力の方がセットばね３４の付勢力よりも大きいため、両者の接触後は、抑止部２８ａが被抑止部１６ｂを、セットばね３４の付勢力に抗して押すことになる。そのため、それ以後は、先羽根用第２駆動部材１７の方は、これまでどおりセット部材２７によって反時計方向へ回転させられていくが、先羽根用第１駆動部材１６の方は、時計方向へ回転させられていくことになり、先羽根の３枚の羽根３１〜３３は、隣接する羽根同士の重なりを大きくしつつ、開口部１ａの下方位置へ逆戻りしていくことになる。そして、先羽根のスリット形成羽根３３が、開口部１ａから退くと、後羽根のスリット形成羽根３９も開口部１ａから退き、開口部１ａが全開になる。
【００３８】
このようにして、開口部１ａが全開になると、先羽根用第２駆動部材１７と後羽根用駆動部材１９に取り付けられている鉄片部材２１，２４の鉄片部２１ｃ，２４ｃが、相前後して先羽根用電磁石と後羽根用電磁石の鉄芯部材１０，１１に接触する。そして、その直後に、セット部材２７の回転が停止させられ、各駆動部材１６，１７，１９の回転が停止する。そのため、先羽根用第２駆動部材１７と後羽根用駆動部材１９の停止状態においては、鉄片部材２１，２４の鉄片部２１ｃ，２４ｃが、圧縮ばね２２，２５の付勢力に抗して、図２の状態から取付部１７ｃ，１９ｂ内に押し込まれ、反対側の頭部２１ｂ，２４ｂが取付部１７ｃ，１９ｂから離れた状態になる。そして、この状態が、図７に示されたセット完了状態であり、セット部材２７は、次の撮影が行われるまで、このセット位置に留まっている。そして、このセット作動の完了状態においては、カメラの電源がオン状態になっていれば、撮像素子に結像している被写体像を、液晶表示装置などのモニターで観察することが可能となる。
【００３９】
次の撮影に際して、カメラのレリーズボタンが押されると、先ず、先羽根用電磁石と後羽根用電磁石のコイル１２，１３に通電され、電磁力によって鉄片部材２１，２４が鉄芯部材１０，１１に吸着保持される。次に、図示していないカメラ本体側の部材が、セット部材２７の被押動部２７ｄに対する押圧力を解くので、セット部材２７は、図示していない復帰ばねの付勢力によって反時計方向へ回転されて初期位置へ復帰していく。そして、その復帰作動の初期段階で、セット部材２７は、その押動部２７ｂが先羽根用第２駆動部材１７の被押動部１７ｂから離れ、押動部２７ｃが後羽根用駆動部材１９のローラー１９ｄから離れる。また、抑止部材２８は、セット部材２７によって時計方向へ回転させられるので、セットばね３４の付勢力によって、先羽根用第１駆動部材１６は、その被抑止部１６ｂが抑止部材２８の抑止部２８ａに追従して反時計方向へ回転させられ、先羽根の３枚の羽根３１〜３３が開口部１ａを覆い始める。そのときの状態が図８に示されている。
【００４０】
この図８の状態になったときには、セット部材２７が離れたことによって、先羽根用第２駆動部材１７と後羽根用駆動部材１９は、図７に示されたセット位置よりも、各々の駆動ばね２３，２６の付勢力と圧縮ばね２２，２５の付勢力とによって僅か反時計方向へ回転させられていて、それらの取付部１７ｃ，１９ｂを鉄片部材２１，２４の頭部２１ｂ，２４ｂに接触させた状態になっている。そのため、この図８に示された位置が、先羽根用第２駆動部材１７と後羽根用駆動部材１９にとっての露光作動開始位置であり、後羽根にとっての露光作動開始位置ということになる。
【００４１】
ところで、後羽根は、二つのアーム３５，３６に３枚の羽根３７〜３９を、合計６箇所で回転可能に取り付けている。そして、それらの取付け箇所には夫々公差が設けられていることによるガタが生じるため、撮影時におけるカメラの構え方によっては、露光作動開始位置におけるスリット形成羽根３９の姿勢が僅かに変わってしまい、所定の露光時間を安定して得ることができなくなってしまうことがある。そのため、本実施例では、後羽根用駆動ばね２６よりも付勢力の小さいばね４０によって、アーム３６に対して常に反時計方向へ回転する付勢力を与えておくようにしてガタ寄せをし、撮影時には、スリット形成羽根３９が、常に同じ姿勢から露光作動を開始できるようにしている。このように、ばね４０を設けることは周知であり、本実施例の場合には、アーム３６を反時計方向へ回転させるように付勢しているが、時計方向へ回転させるように付勢しても同等の効果を有することが知られている。
【００４２】
セット部材２７が、図８に示された位置からさらに反時計方向へ回転していくと、抑止部材２８も時計方向へさらに回転していくため、先羽根用第１駆動部材１６はセットばね３４の付勢力によってさらに反時計方向へ回転していく。そのようにして、先羽根の３枚の羽根３１〜３３が、開口部１ａの約２／３を覆った状態が図９に示されている。そして、このとき、先羽根用第１駆動部材１６の被押動ピン１６ｃは、かなり先羽根用第２駆動部材１７の押動部１７ｄに近付いてきている。その後、先羽根の３枚の羽根３１〜３３が、開口部１aを完全に覆うころになると、抑止部材２８がさらに時計方向へ回転したことによって、その抑止部２８ａが、先羽根用第１駆動部材１６の被抑止部１６ｂの作動軌跡外へ逃げるため、先羽根用第１駆動部材１６は、それまでよりも速く回転し、被押動ピン１６ｃが先羽根用第２駆動部材１７の押動部１７ｄに当接して停止する。そして、その後、セット部材２７が初期位置に復帰して停止した状態が図１０に示されており、この位置が先羽根用第１駆動部材１６と先羽根にとっての露光作動開始位置である。
【００４３】
ところで、本実施例においては、セット部材２７の初期位置への復帰作動に伴って、抑止部材２８による抑止位置が移動し、先羽根用第１駆動部材１６が反時計方向へ回転していくようになっている。そして、そのときのセット部材２７と抑止部材２８の回転速度は異なっている。また、特許文献１，２に記載されている構成のように、先羽根用第１駆動部材１６の抑止が、露光作動終了位置近傍で解かれると、被押動ピンが１６ｃが押動部１７ｄに当接したときの衝撃が大きくなって、先羽根用第２駆動部材１７が僅かに作動してしまい、圧縮ばね２２を一時的に圧縮させてしまうことがある。そして、そのようにした場合は、先羽根用第２駆動部材１７は、その後の復帰作動時に、取付部１７ｃによって鉄片部材２１の頭部２１ｂを叩き、鉄片部２１ｃを、鉄芯部材１０の吸引力に抗して、鉄芯部材１０から離してしまうことがある。ところが、本実施例の場合には、先羽根用第１駆動部材１６の抑止が解けるのは、先羽根用第１駆動部材１６の被押動ピン１６ｃが先羽根用第２駆動部材１７の押動部１７ｄに近付いてからである。そのため、抑止が解かれてからの先羽根用第１駆動部材１６の回転角度が小さいため、被押動ピン１６ｃが押動部１７ｄに当接してもその衝撃力は極めて小さく、鉄芯部材１０に対する鉄片部材２１の吸着状態に全く影響を及ぼさない。更に、被押動ピン１６ｃが押動部１７ｄに当接しても、先羽根用第１駆動部材１６は殆どバウンドしないから、先羽根用第１駆動部材１６と先羽根は、セット部材２７が初期位置へ復帰したときには既に静止しており、いつでも露光作動を開始できるようになっている。
【００４４】
また、本実施例は、先羽根の場合も、二つのアーム２９，３０に対し、３枚の羽根３１〜３３を合計６箇所で回転可能に取り付けている。そのため、上記した後羽根の場合と同様に、撮影時におけるカメラの構え方によっては、図１０に示された露光作動開始位置において、スリット形成羽根３３の姿勢が変わってしまい、所定の露光時間が安定して得られなくなってしまうことがある。しかしながら、本実施例のセットばね３４は、このように先羽根用第１駆動部材１６と先羽根を露光作動開始位置へ作動させる役目のほか、上記のばね４０と同じガタ寄せの役目も有している。そのため、先羽根の場合にも、撮影時には、スリット形成羽根３３が、常に同じ姿勢から露光作動を開始できるようになっている。
【００４５】
図１０に示すように、セット部材２７が初期位置で停止すると、最初に先羽根用電磁石のコイル１２に対する通電が断たれ、所定時間後に後羽根用電磁石のコイル１３に対する通電が断たれる。そこで先ず、先羽根用電磁石のコイル１２に対する通電が断たれると、鉄片部材２１に対する鉄芯部材１０の吸引力が失われ、先羽根用第２駆動部材１７が、先羽根用駆動ばね２３の付勢力によって時計方向へ急速に回転させられが、そのとき、その押動部１７ｄが被押動ピン１６ｃを押して先羽根用第１駆動部材１６を、セットばね３４の付勢力に抗して時計方向へ回転させる。そのため、先羽根の３枚の羽根３１〜３３は、隣接する羽根同士の重なりを大きくしながら下方へ移動してゆき、スリット形成羽根３３の上端縁で開口部１ａを開放していく。
【００４６】
他方、後羽根用電磁石のコイル１３に対する通電が断たれると、鉄片部材２４に対する鉄芯部材１１の吸引力が失われ、後羽根用駆動部材１９が、後羽根用駆動ばね２６の付勢力によって時計方向へ急速に回転させられる。そのため、後羽根の３枚の羽根３７〜３９は、隣接する羽根同士の重なりを小さくしながら下方へ移動してゆき、スリット形成羽根３９の下端縁で開口部１ａを覆っていく。以後は、このようにして、先羽根と後羽根が、それらのスリット形成羽根３１，３９の間に形成したスリットにより、撮像素子の撮像面を上から下へ連続的に露光していくことになるが、その露光作動の最終段階になると、最初に、先羽根用第１駆動部材１６の駆動ピン１６ｄが緩衝部材４に当接して、先羽根用の二つの駆動部材１６，１７と先羽根の作動が停止させられ、次に、後羽根用駆動部材１９の駆動ピン１９ｃが緩衝部材５に当接して、後羽根用駆動部材１９と後羽根の作動も停止させられる。そして、露光作動を終了した図１，図２及び図４の状態で、被写体の撮像情報を撮像素子から記憶装置に転送することによって撮影が終了したことになる。
【実施例２】
【００４７】
次に、図１１及び図１２を用いて実施例２を説明するが、図１１は、上記の図２と同様にして、露光作動終了直後の状態を示した平面図であり、図１２は、上記の図３と同様にして、図１１の右側から見て構成部材を分かり易く示した断面図である。また、本実施例の構成においては、その殆どの構成部材が上記の実施例１における構成部材と実質的に同じである。そのため、図１１及び図１２においては、実施例１の場合と同じ部材及び同じ部位には、同じ符号を付けてあるので、それらについての構成説明を省略することにし、以下においては、実施例１の場合と異なる構成についてだけ説明することにする。
【００４８】
本実施例の抑止部材４１は、抑止部４１ａと、係合部４１ｂとを有していて、シャッタ地板１の軸１ｉに回転可能に取り付けられている。しかしながら、その係合部４１ｂは、実施例１における抑止部材２８の係合部２８ｂのように二股状には形成されていない。また、図１２から分かるように、本実施例の場合には、軸１ｉが、実施例１の場合より長く形成されていて、そこにばね４２を巻回している。そして、ばね４２は、その一端を抑止部材４１に掛け、他端をシャッタ地板１に掛けることによって、図１１において、抑止部材４１を時計方向へ回転させるように付勢し、係合部４１ｂを、セット部材２７の突起部２７ｅに常に接触させるようにしている。
【００４９】
図１２から分かるように、本実施例の場合には、先羽根用第１駆動部材１６の筒部１６ａが、実施例１の場合よりも長く形成されている。また、本実施例のセットばね４３は、実施例１のセットばね３４のように軸１ｊには巻回されておらず、その筒部１６ａに巻回されている。そして、そのセットばね４３は、一端を先羽根用第１駆動部材１６に掛け、他端を先羽根用第２駆動部材１７に掛けていて、図１１に示されている状態から先羽根用第１駆動部材１６の被押動ピン１６ｃと先羽根用第２駆動部材１７の押動部１７ｄが離れたときだけ、先羽根用第１駆動部材１６を反時計方向へ付勢し、先羽根用第２駆動部材１７を時計方向へ付勢するようになっている。また、本実施例は、実施例１において軸１ｋに巻回されていたばね４０も備えていない。その他の構成は、実施例１の場合と全く同じである。
【００５０】
次に、本実施例の作動説明を、上記の実施例１の作動説明に準じて行うが、実施例１と共通する点については、出来るだけ簡略化して説明することにする。先ず、図１１は、露光作動終了直後の停止状態を示している。このとき、セット部材２７は初期位置にあり、抑止部材４１は、ばね４２の付勢力によって、その係合部４１ｂをセット部材２７の突起部２７ｅに接触させ、抑止部４１ａを、先羽根用第１駆動部材１６の被抑止部１６ｂの作動軌跡外にもたらしている。
【００５１】
セット部材２７が初期位置からセット作動を開始すると、その突起部２７ｅが係合部４１ｂを押し、ばね４２の付勢力に抗して抑止部材４１を反時計方向へ回転させ、抑止部４１ａを、先羽根用第１駆動部材１６の被抑止部１６ｂの作動軌跡内へ臨ませてゆく。そして先ず、セット部材２７の押動部２７ｂが先羽根用第２駆動部材１７の被押動部１７ｂを押し、先羽根用第２駆動部材１７を先羽根用駆動ばね２３の付勢力に抗して反時計方向へ回転させる。このとき、先羽根用第１駆動部材１６には、先羽根用第２駆動部材１７との間にセットばね４３が掛けられているので、先羽根用第１駆動部材１６も、その被押動ピン１６ｃが先羽根用第２駆動部材１７の押動部１７ｄに追従して反時計方向へ回転し、先羽根の３枚の羽根３１〜３３を上方へ移動させていく。
【００５２】
その後、先羽根のスリット形成羽根３３が開口部１ａを覆い始めると、セット部材２７の押動部２７ｃが後羽根用駆動部材１９のローラー１９ｄを押し始め、後羽根用駆動部材１９を、後羽根用駆動ばね２６の付勢力に抗して反時計方向へ回転させ始めるので、後羽根の３枚の羽根３７〜３９も上方へ移動されていく。そして、その後、先羽根用第１駆動部材１６の被抑止部１６ｂと抑止部材４１の抑止部４１ａとが接触すると、それ以後は、先羽根用第２駆動部材１７は、セット部材２７によって反時計方向へ回転させられていくが、先羽根用第１駆動部材１６は、その被抑止部１６ｂを抑止部材４１の抑止部４１ａに押されて時計方向へ回転させられ逆戻りしていくので、それらの駆動部材１６，１７の間に掛けらたセットばね４３は、緊張させられていくようになる。そして、開口部１ａが全開になり、鉄片部材２１，２４の鉄片部２１ｃ，２４ｃが鉄芯部材１０，１１に接触すると、セット作動が終了する。
【００５３】
次の撮影に際して、カメラのレリーズボタンが押されると、先ず、コイル１２，１３に対して通電され、鉄片部材２１，２４が鉄芯部材１０，１１に吸着保持される。次に、図示していない復帰ばねの付勢力によってセット部材２７が初期位置へ復帰作動を開始すると、ばね４２の付勢力によって、抑止部材４１も、その係合部４１ｂがセット部材２７の突起部２７ｅと接触を保ったまま時計方向へ回転していくため、先羽根用第１駆動部材１６はセットばね４３の付勢力によって反時計方向へ回転していく。その後、先羽根の３枚の羽根３１〜３３が、開口部１aを完全に覆うころになると、抑止部材４１の抑止部４１ａが、先羽根用第１駆動部材１６の被抑止部１６ｂの作動軌跡外へ逃げるため、先羽根用第１駆動部材１６は、それまでよりも速く回転し、被押動ピン１６ｃが先羽根用第２駆動部材１７の押動部１７ｄに当接して停止する。そして、その直後に、セット部材２７が初期位置に復帰して停止する。
【００５４】
このように、本実施例の場合にも、セット部材２７の初期位置への復帰作動に伴って、抑止部材４１による抑止位置が移動し、先羽根用第１駆動部材１６が反時計方向へ回転していくようになっている。そして、抑止部４１ａによる被抑止部１６ｂの抑止が解けるのは、先羽根用第１駆動部材１６の被押動ピン１６ｃが先羽根用第２駆動部材１７の押動部１７ｄに近付いてからのことである。そのため、その抑止が解かれて被押動ピン１６ｃが押動部１７ｄに当接してもその衝撃力は極めて小さく、鉄芯部材１０に対する鉄片部材２１の吸着状態に全く影響を及ぼさない。また、被押動ピン１６ｃが押動部１７ｄに当接しても、先羽根用第１駆動部材１６は殆どバウンドしないから、先羽根用第１駆動部材１６と先羽根は、セット部材２７が初期位置へ復帰したときには既に静止していて、いつでも露光作動を開始できるようになっている。
【００５５】
セット部材２７が初期位置で停止すると、最初に先羽根用電磁石のコイル１２に対する通電が断たれ、所定時間後に後羽根用電磁石のコイル１３に対する通電が断たれる。そこで先ず、コイル１２に対する通電が断たれると、鉄片部材２１に対する鉄芯部材１０の吸引力が失われ、先羽根用第２駆動部材１７が、先羽根用駆動ばね２３の付勢力によって時計方向へ急速に回転させられが、そのとき、その押動部１７ｄが被押動ピン１６ｃを押して先羽根用第１駆動部材１６を時計方向へ回転させる。そのため、先羽根の３枚の羽根３１〜３３は、隣接する羽根同士の重なりを大きくしながら下方へ移動してゆき、スリット形成羽根３３の上端縁で開口部１ａを開放していく。しかしながら、本実施例の場合には、この作動によってセットばね４３は緊張されていかない。
【００５６】
他方、コイル１３に対する通電が断たれると、鉄片部材２４に対する鉄芯部材１１の吸引力が失われ、後羽根用駆動部材１９が、後羽根用駆動ばね２６の付勢力によって時計方向へ急速に回転させられる。そのため、後羽根の３枚の羽根３７〜３９は、隣接する羽根同士の重なりを小さくしながら下方へ移動してゆき、スリット形成羽根３９の下端縁で開口部１ａを覆っていく。以後は、それらのスリット形成羽根３３，３９の間に形成したスリットにより、撮像素子の撮像面を上から下へ連続的に露光していくが、その露光作動の最終段階になると、最初に、先羽根用第１駆動部材１６の駆動ピン１６ｄが緩衝部材４に当接して、先羽根用の二つの駆動部材１６，１７と先羽根の作動が停止させられ、次に、後羽根用駆動部材１９の駆動ピン１９ｃが緩衝部材５に当接して、後羽根用駆動部材１９と後羽根の作動が停止させられ、図１１の状態に復帰する。
【００５７】
尚、上記の各実施例においては、セット部材２７に図示していない復帰ばねが掛けられていて、セット部材２７のセット作動は、被押動部２７ｄをカメラ本体側の部材に押されて行い、初期位置への復帰作動は、カメラ本体側の部材の押圧力が解かれるのに伴って、図示していない復帰ばねの付勢力によって行われるようにしているが、本発明は、そのような構成に限定されず、復帰ばねを備えることなく、セット部材のセット作動も復帰作動も、カメラ本体側の部材によって強制的に行わされるようにしてもよい。また、上記の各実施例のように、セット部材２７を、カメラ本体側の部材に直接連動させず、シャッタ側に設けられている他の部材を介して連動するようにしてもよい。更に、上記の実施例の場合には、先羽根も後羽根も、夫々３枚の羽根を有しているが、本発明は、そのような枚数には限定されず、各々１枚ずつであっても構わないし、両者の枚数が異なっていても差し支えない。
【図面の簡単な説明】
【００５８】
【図１】カメラに組み込んだ状態において、被写体側から見た実施例１の平面図であって、露光作動終了直後の状態を示したものである。
【図２】図１の一部を拡大して示した平面図である。
【図３】図２の右側から見て構成部材を分かり易く示した断面図である。
【図４】図２に示されている構成部材のうち作動説明に必要な主な構成部材だけを示した平面図である。
【図５】図４と同様にして示した平面図であって、セット作動の初期段階の状態を示したものである。
【図６】図４と同様にして示した平面図であって、図５の状態より更にセット作動の進んだ状態を示したものである。
【図７】図４と同様にして示した平面図であって、セット作動の完了状態を示したものである。
【図８】図４と同様にして示した平面図であって、カメラのレリーズボタンが押されたとき、露光作動に先立ってセット部材がセット位置から初期位置へ復帰する初期段階の状態を示したものである。
【図９】図４と同様にして示した平面図であって、セット部材の初期位置への復帰作動が図８の状態よりも進んだ状態を示したものである。
【図１０】図４と同様にして示した平面図であって、セット部材が初期位置で停止した露光作動開始直前の状態を示したものである。
【図１１】図２と同様にして露光作動終了直後の状態を示した実施例２の平面図である。
【図１２】図１１の右側から見て構成部材を分かり易く示した断面図である。
【符号の説明】
【００５９】
１                              シャッタ地板
１ａ，２ａ，３ａ                開口部
１ｂ，１ｃ，３ｂ，３ｃ          長孔
１ｄ，１ｅ，１ｆ，１ｇ，１ｈ，１ｉ，１ｊ,１ｋ  軸
２                              中間板
３                              補助地板
４，５                          緩衝部材
６                              支持板
６ａ，６ｂ                      ラチェット爪
６ａ−１，６ａ−２，６ｂ−１，６ｂ−２  爪部
６ｃ                            ばね掛け部
７                              プリント配線板
８，９                          ねじ
１０，１１                      鉄芯部材
１２，１３                      コイル
１４，１５                      ボビン
１６                            先羽根用第１駆動部材
１６ａ，１７ａ，１９ａ，２７ａ  筒部
１６ｂ                          被抑止部
１６ｃ                          被押動ピン
１６ｄ，１９ｃ                  駆動ピン
１７                            先羽根用第２駆動部材
１７ｂ，２７ｄ                  被押動部
１７ｃ，１９ｂ                  取付部
１７ｄ，２７ｂ，２７ｃ          押動部
１８，２０                      ラチェット部材
１８ａ，１８ｂ，２０ａ，２０ｂ  ラチェット歯
１９                            後羽根用駆動部材
１９ｄ                          ローラー
２１，２４                      鉄片部材
２１ａ，２５ａ                  軸部
２１ｂ，２４ｂ                  頭部
２１ｃ，２４ｃ                  鉄片部
２２，２５                      圧縮ばね
２３                            先羽根用駆動ばね
２６                            後羽根用駆動ばね
２７                            セット部材
２７ｅ                          突起部
２８，４１                      抑止部材
２８ａ，４１ａ                  抑止部
２８ｂ，４１ｂ                  係合部
２９，３０，３５，３６          アーム
３１，３２，３３，３７，３８，３９  羽根
３４，４３                      セットばね
４０，４２                      ばね
【図１】
2007298544.tif 000003
【図２】
2007298544.tif 000004
【図３】
2007298544.tif 000005
【図４】
2007298544.tif 000006
【図５】
2007298544.tif 000007
【図６】
2007298544.tif 000008
【図７】
2007298544.tif 000009
【図８】
2007298544.tif 000010
【図９】
2007298544.tif 000011
【図１０】
2007298544.tif 000012
【図１１】
2007298544.tif 000013
【図１２】
2007298544.tif 000014